(57)【特許請求の範囲】
【請求項１】
紙芯にプラスチックフィルムを巻きつけたフィルムロールを納め、かつ、パレットに載置された紙製箱と、
紙製箱の上下に敷設され、かつ、紙製箱の縦および横の寸法より長い、厚さ５〜５００μｍのプラスチックフィルムまたはシートと、
パレット高さの２０〜９０％を覆うように紙製箱とパレットの側面に巻回されてパレットに紙製箱を固定するストレッチフィルムと、
から構成されることを特徴とする搬送用フィルムロール梱包体。
【請求項２】
前記紙芯の両端にプラスチック製円筒形キャップが嵌め込まれた、請求項１記載の搬送用フィルムロール梱包体。
【請求項３】
前記フィルムロールは、紙製箱の中において、紙芯の両端がつばで支えられ宙吊りの状態で納まっている、請求項１又は２記載の搬送用フィルムロール梱包体。
【請求項４】
前記パレットの縦または横の寸法は、前記紙製箱の縦または横の寸法よりも大きい、請求項１〜３の何れか一項記載の搬送用フィルムロール梱包体。
【発明の詳細な説明】
【技術分野】
【０００１】
本発明は、フィルムロールを海外に搬送するときコンテナ内の結露により紙製箱の変形が起こりにくい、また吸湿によりロールの紙芯強度が低下し輸送時の衝撃などで巻き芯の変形が起こりにくいフィルムロール梱包体に関する。
【背景技術】
【０００２】
船舶に積載して輸出されるフィルムロール製品は、包装材を回収しない場合が多く、強度が高いプラスチック製の巻き芯ではなく、主に紙を原材料に用いた紙芯や紙製箱が使用されることが多い、また、パレットもプラスチック製ではなく、熱処理された木製パレットが一般的である。
【０００３】
通常、船舶での荷物の輸送は、コンテナに入れて輸送されるが、高温多湿の時期、またはそのような地域でコンテナ内に荷物を入れた場合、比較的温度が低い場所に移動すると、コンテナ内で結露が発生する。紙製箱に納められた製品は、紙製箱の吸水、吸湿により箱が変形してフィルム製品に接触することがあり、ロール外観に悪影響を与える、また紙芯は吸湿により強度が低下し、荷下ろしや輸送時の上下動の衝撃で巻き芯が変形し、ダンボール箱内に宙づりに保持されている製品ロールが脱落することがある。
【０００４】
フィルムロール製品の吸湿防止技術に関しては、例えば、特許文献１には、フィルムロール製品を金属膜または無機酸化物膜が積層されたプラスチックフィルムで覆い、乾燥剤を封入することが提案されているが、フィルムロールを納めた紙製箱の吸湿防止に関しては解決できない。
【０００５】
また、特許文献２によれば、ストレッチフィルムを用いてパレット上の巻糸体の積層体を固定した梱包体に関する記載がされているが、積層体の吸水、吸湿防止に関しては解決できないものである。
【先行技術文献】
【特許文献】
【０００６】
【特許文献１】特開２００４−１７５４４０号公報
【特許文献２】特開平０６−０８０１５４号公報
【発明の概要】
【発明が解決しようとする課題】
【０００７】
本発明は、上記実状に鑑みなされたものであって、その解決課題は、コンテナ内の結露により紙製箱の変形が起こりにくい、また、吸湿によりロールの紙芯強度が低下し、輸送時の衝撃などで巻き芯の変形が起こりにくいフィルムロール梱包体を提供することにある。
【課題を解決するための手段】
【０００８】
本発明者らは、上記課題に鑑み鋭意検討した結果、特定の構成を有するフィルムロール梱包体によれば、上記課題を容易に解決できることを見いだし、本発明を完成するに至った。
【０００９】
すなわち、本発明の要旨は、紙芯にプラスチックフィルムを巻きつけたフィルムロールを納め、かつ、パレットに載置された紙製箱と、紙製箱の上下に敷設され、かつ、紙製箱の縦および横の寸法より長い、厚さ５〜５００μｍのプラスチックフィルムまたはシートと、パレット高さの２０〜９０％を覆うように紙製箱とパレットの側面に巻回されてパレットに紙製箱を固定するストレッチフィルムと、から構成されることを特徴とする搬送用フィルムロール梱包体に存する。
【発明の効果】
【００１０】
本発明によれば、結露により紙製箱の変形や吸湿による紙芯強度が低下しにくいフィルムロール梱包体を提供することができ、フィルムロールの外観不良や輸送時の衝撃などでの紙芯変形によるフィルムロールの脱落を防止することができ、本発明の工業的価値は高い。
【図面の簡単な説明】
【００１１】
【図１】フィルムロールの紙製箱包装体の断面模式図
【図２】梱包体の断面模式図
【発明を実施するための形態】
【００１２】
本発明の梱包体は、１）紙製箱に納められたフィルムロール、２）紙製箱の上下に位置するプラスチックフィルムまたはシート、３）ストレッチフィルム、４）パレットからなる。
【００１３】
紙製箱は板紙を波状に加工し積層構造を有する直方体のダンボール箱が一般的に使用される。紙芯は、紙を主原料に用いて加工された管であり、内径が３〜１０インチのものが用いられる。フィルムロールは、高分子プラスチックフィルムを紙芯に一定の幅で巻き付けたものである。高分子フィルムの例としてはポリエステルフィルム、ポリエチレンフィルム、ナイロンフィルム、ポリプロピレンフィルム、ポリイミドフィルムなどが挙げられる。フィルムロールの重量は５０〜１０００ｋｇであり、つばで紙芯の両端が支えられ宙吊りの状態で紙製箱内に納める。
【００１４】
紙製箱の上下に位置するプラスチックフィルムまたはシートは、厚さが５〜５００μｍである。５μｍ未満では、木製パレットの表面の凹凸で穴が開きやすくなる。一方、５００μｍを超えると、フィルムの剛性が強くなり、直方体の箱を覆いにくくなる。
【００１５】
プラスチックフィルムの種類は特に限定しないが、ポリエステルフィルム、ポリエチレンフィルム、ポリプロピレンフィルムであり、さらに好ましくは、紙製箱に含まれる水分をコントロールできる透湿防水シートである。
【００１６】
透湿防湿シートの例は、ＪＩＳ  Ａ６１１１で規定される透湿防水シートＡや透湿防水シートＢが挙げられる。
【００１７】
紙製箱の上下に紙製箱の縦および横の寸法より長いプラスチックフィルムまたはシートがないと、コンテナ内で発生した結露水が紙製箱に付着して箱の変形や紙芯の強度低下が起こる。
【００１８】
また、紙製箱の上下に位置するプラスチックフィルムまたはシートの大きさは、紙製箱の縦および横の寸法より長いことが必要である。プラスチックフィルムまたはシートの大きさが紙製箱の縦または横のいずれかの寸法より短いと、コンテナ内で発生した結露水の紙製箱へ付着やコンテナ床に溜まった水滴が木製のパレットを介して紙製箱に吸収され、箱の変形や紙芯の強度低下を防ぐことができない。さらに紙製箱の下部に位置するフィルムまたはシートの大きさは、パレットの縦および横の寸法よりも少し長いことが好ましい。
【００１９】
ストレッチフィルムは、直鎖状低密度ポリエチレン（ＬＬＤＰＥ）フィルムで、幅３００〜２０００ｍｍ、厚さ１０〜３０μｍ程度のものを用いることが好ましい。
【００２０】
パレットと紙製箱の側面を巻回して固定する時、パレットの側面高さの２０〜９０％、好ましくは３０〜８０％を覆う。２０％未満では、紙製箱とパレットとの固定が不完全となり、横方向の揺れが梱包体にかかった場合に荷崩れを起こすことがある。一方、９０％を超えて巻くと、フォークリフトのフォークをパレットに差し込むことが困難となり、荷役に支障がでる。
【００２１】
パレットは木製パレットやプラスチック製パレットが用いられる、パレットは載せる荷物の重量をさせるだけの強度があれば特に材質にはこだわらないが、輸出用には木製パレットが多く使用される。
【００２２】
次に本発明の搬送用フィルムロール梱包体を具体的に説明するが、本発明の構成要件を満足する限り、以下の例示に特に限定されるものではない。
【００２３】
本発明の搬送用フィルムロール梱包体のうち紙製箱に納められるロールは、所定のフィルム幅と長さでスリットされ紙芯に巻き上げられる。巻き上げ後、テープを貼りフィルムを固定し、必要に応じて品名やロットを表示したラベルを付ける。その後、防塵のためプラスチックフィルムでロールを覆う、プラスチックフィルムで覆う前に、必要に応じて、吸湿防止のため片面に金属蒸着されたフィルム、または金属箔を貼り合わせたフィルムでロールを覆ってもよい。
【００２４】
また、ロールの重量が１００ｋｇを超える場合、紙芯の強度を補うために紙芯の両端に紙芯の内径と外径が同じプラスチック製円筒形キャップをはめることが好ましい。プラスチック製の円筒形キャップの円筒長さは、通常５０〜２００ｍｍであり、円筒の厚さは、通常５〜２０ｍｍである。
【００２５】
フィルムロールは、紙製箱の中では紙芯の両端がつばで支えられ宙吊りの状態で納まっている。またつばと紙製箱の隙間は木製またはダンボール製のパッドで隙間を埋める。必要に応じて吸湿剤を紙製箱内に置いてもよい。
【００２６】
フィルムロールが紙製箱に納められた状態を模式的に図１に示す。
【００２７】
パレットを回転台の上に置き、紙製箱の縦及び横の寸法よりも長いプラスチックフィルムまたはシートを敷く、パレットよりはみ出た部分はパレットにテープで貼りつけてもよい。次にロールを納めた紙製箱を載せる、紙製箱は１つでも複数でもよい、また２段に積んで置いてもよい。そして紙製箱の上部に紙製箱の縦および横の寸法より長いプラスチックフィルムまたはシートで覆う。箱よりはみ出た部分はテープで箱に固定してもよい。なお、複数の紙製箱を置く場合は、縦および横の寸法の合計より長いラスチックフィルムまたはシートを用いる。また必要に応じて吸湿剤をパレットの上に置いてもよい。
【００２８】
最後にスクラッチフィルムの端をパレットに固定して、回転台を回転させながらパレットと紙製箱に巻回していく。その時、適度なテンションをかけてストレッチフィルムを少し伸ばした状態で上下に移動しながら巻回して箱とパレットを固定する。
【００２９】
このようにして作成された梱包体の断面の模式図を図２に示す。
【実施例】
【００３０】
以下、本発明を実施例によりさらに詳細に説明するが、本発明はその要旨を越えない限り、以下の実施例に限定されるものではない。
【００３１】
なお、ストレッチフィルムのパレット高さを覆う割合％は、以下のように定義する。パレットの側面の４面についてストレッチフィルムが巻回された最大の高さと最小の高さを求めて平均値を計算する。その平均値のパレット高さの割合をストレッチフィルムのパレット高さを覆う割合％とする。
【００３２】
実施例１：
逐次二軸延伸法により製造された厚さ１２μｍの二軸延伸ポリエステルフィルムをスリット機で内径３インチの長さ１００５ｍｍの紙芯に幅１０００ｍｍ長さ４０００ｍで巻き付けフィルムロールを作成した。ロールのフィルムの重さは、６８ｋｇであった。次にポリエチレン製チュープでロールを覆い、紙芯の両端にプラスチック製円筒形キャップを挿入しつばで支えて縦５００ｍｍ、高さ５００ｍｍ、横１２００ｍのダンボール箱に納めた。
【００３３】
縦１３００ｍｍ、横１４００ｍｍ、高さ１８０ｍｍの木製パレットを回転台の上に置いた。そして１２μｍの幅１５００ｍｍ、長さ１．５ｍのポリエステルフィルムを敷き、その上にフィルムロールを納めた縦５００ｍｍ、高さ５００ｍｍ、横１２００ｍのダンボール箱を２列で２段に載せた。紙製箱の上部を１２μｍの幅１５００ｍｍ、長さ１．５ｍのポリエステルフィルムで覆って数か所をテープで箱に止めた。
【００３４】
次に、厚さ２０μｍ、幅５００ｍｍのスクラッチフィルムの端をパレットに固定したのち回転台を回転させながらパレットと紙製箱に巻回した。その時、適度なテンションをかけてストレッチフィルムを少し伸ばした状態で上下に移動しながら巻回して箱とパレットを固定した。パレットの側面の７０％がスクラッチフィルムで覆われた。
【００３５】
実施例２：
逐次二軸延伸法により製造された厚さ２５μｍの二軸延伸ポリエステルフィルムをスリット機で内径６インチの長さ１６３５ｍｍの紙芯に幅１５７５ｍｍ長さ６０００ｍで巻き付けフィルムロールを作成した。ロールのフィルムの重さは、３３４ｋｇであった。次にアルミラミの防湿シートで覆い、さらにポリエチレン製チューブでロールを覆った。そして紙芯の強度を上げるため両端にプラスチック製円筒形キャップを挿入し、つばで支えて縦５６０ｍｍ、高さ５６０ｍｍ、横１６７０ｍのダンボール箱に納めた。
【００３６】
縦６００ｍｍ、横１７４０ｍｍ、高さ１９０ｍｍの木製パレットを回転台の上に置いた。そして厚さ０．２ｍｍの幅１０００ｍｍ、長さ２ｍのＪＩＳＡ６１１１で規定される透湿防水シートを敷き、その上にフィルムロールを納めた縦５６０ｍｍ、高さ５６０ｍｍ、横１６７０ｍのダンボール箱を載せた。紙製箱の上部を厚さ０．２ｍｍの幅１０００ｍｍ、長さ２ｍのＪＩＳＡ６１１１で規定される透湿防水シートＢで覆って数か所をテープで箱に止めた。
【００３７】
次に厚さ２０μｍ、幅５００ｍｍのスクラッチフィルムの端をパレットに固定したのち
回転台を回転させながらパレットと紙製箱に巻回していった。その時、適度なテンションをかけてストレッチフィルムを少し伸ばした状態で上下に移動しながら巻回して箱とパレットを固定した。パレットの側面の５０％がスクラッチフィルムで覆われた。
【００３８】
比較例１：
紙製箱の上下にプラスチックフィルムを敷かなかったほかは実施例１と同じ方法で梱包した。
【００３９】
比較例２：
紙製箱の上下に透湿防水シートを敷かなかったほかは実施例２と同じ方法で梱包した。
【００４０】
比較例３：
パレットの側面の１０％がスクラッチフィルムで覆われたほかは実施例１と同じ方法で梱包した。
【００４１】
比較例４：
パレットの側面の９５％がスクラッチフィルムで覆われたほかは実施例１と同じ方法で梱包した。
【００４２】
フィルムロール梱包体をコンテナに入れ、１０００ｋｍ以上の海上輸送した後の梱包体の評価結果を下記表１にまとめた。
【００４３】
【表１】
0006531451.tif 000002
【００４４】
実施例１〜２においては、海上輸送のあとに倉庫に保管された梱包体の外観および紙製箱内部のフィルムロールに異常はなかった。特に、実施例２は、フィルムロールの重量が３００ｋｇを超えているにも関わらず、紙製箱の変形や紙芯の変形は起こらなかった。一方、比較例１と２は、紙製箱の上下にプラスチックフィルムまたは透湿防水シートを敷かなかったため、梱包体の外観に異常が発生した。比較例３は、パレットの側面に巻回されるストレッチフィルムの側面高さの割合が２０％未満のため、手で水平方向に押すと梱包体が動き、荷崩れが懸念された。比較例４は、フォークリフトのフォークがパレットに挿入するこができず、荷役に不具合が生じた。
【産業上の利用可能性】
【００４５】
本発明の搬送用フィルムロール梱包体は、例えば、コンテナに積載し海上輸送する時のフィルムロール梱包体として好適に利用することができる。
【符号の説明】
【００４６】
１  円筒状紙芯
２  フィルムロール
３  防湿フィルム
４  プラスチックフィルムチューブ
５  プラスチック製円筒形キャップ
６  つば（側板）
７  パッド
８  ダンボール箱
９  パレット
１０  プラスチックフィルムまたは透湿防水シート
１１  紙製箱
１２  スクラッチフィルム
【図１】
0006531451.tif 000003
【図２】
0006531451.tif 000004